(57)【特許請求の範囲】
【請求項１】
細長平板状振動板と、
前記細長平板状振動板の外周側から後方にかけて配置されるフレームと、
内周部が前記細長平板状振動板に接合され、外周部が前記フレームに接合されるエッジと、
前記細長平板状振動板より後方に配置されて、前記フレームに接合される磁気回路と、
前端部が前記細長平板状振動板に接合され、後端部が前記磁気回路内に配置されるボイスコイルボビンと、
前記ボイスコイルボビンの外周部に巻回され、前記磁気回路の磁気ギャップ中に支持されるボイスコイルと、を備えたスピーカにおいて、
前記ボイスコイルボビンを取り囲むように前記細長平板状振動板と前記フレームとの間に配置され、前記細長平板状振動板と前記フレームとに接合される支持部材を備え、
前記支持部材は、
前記細長平板状振動板の長手方向に沿って、前記ボイスコイルボビンを間に挟んで一方の側に配置される複数の第１支持梁と、
前記細長平板状振動板の長手方向に沿って、前記ボイスコイルボビンを間に挟んで他方の側に配置される複数の第２支持梁と、
前記細長平板状振動板の短手方向に沿って、前記複数の第１支持梁の各一端側を架橋して前記フレームに接合される第１架橋部と、
前記細長平板状振動板の短手方向に沿って、前記複数の第１支持梁の各他端側を架橋して前記細長平板状振動板の裏面に接合される第２架橋部と、
前記細長平板状振動板の短手方向に沿って、前記複数の第２支持梁の各一端側を架橋して前記フレームに接合される第３架橋部と、
前記細長平板状振動板の短手方向に沿って、前記複数の第２支持梁の各他端側を架橋して前記細長平板状振動板の裏面に接合される第４架橋部と、を有することを特徴とするスピーカ。
【請求項２】
前記複数の第１支持梁および前記複数の第２支持梁は、前記ボイスコイルボビンを間に挟んで対称に配置されることを特徴とする請求項１に記載のスピーカ。
【請求項３】
前記細長平板状振動板の長手方向に沿って、前記第２架橋部の一端部と前記第４架橋部の一端部とを架橋して前記細長平板状振動板の裏面に接合される第５架橋部と、
前記細長平板状振動板の長手方向に沿って、前記第２架橋部の他端部と前記第４架橋部の他端部とを架橋して前記細長平板状振動板の裏面に接合される第６架橋部と、を有することを特徴とする請求項１または２に記載のスピーカ。
【請求項４】
前記細長平板状振動板の短手方向に沿って、前記第２および第４架橋部よりも内側方向で、かつ前記ボイスコイルボビンの外周に沿って配置されるボイスコイルガイド部をさらに備えることを特徴とする請求項１乃至３のいずれかに記載のスピーカ。
【請求項５】
前記ボイスコイルガイド部は、前記ボイスコイルの引き出し線を案内するための引き出し線ガイド部を有することを特徴とする請求項４に記載のスピーカ。
【請求項６】
前記複数の第１支持梁のそれぞれに対して前記長手方向の外側に接続される複数の第３支持梁と、
前記複数の第２支持梁のそれぞれに対して前記長手方向の外側に接続される複数の第４支持梁と、
前記細長平板状振動板の短手方向に沿って、前記複数の第３支持梁の各一端側を架橋して前記細長平板状振動板の裏面に接合される第７架橋部と、
前記細長平板状振動板の短手方向に沿って、前記複数の第４支持梁の各一端側を架橋して前記細長平板状振動板の裏面に接合される第８架橋部と、をさらに備えることを特徴とする請求項１乃至５のいずれかに記載のスピーカ。
【発明の詳細な説明】
【技術分野】
【０００１】
本発明は、細長形状のスピーカに関する。
【背景技術】
【０００２】
スピーカは、家庭用音響機器や車載用音響機器だけでなく、パーソナルコンピュータ、携帯電話およびゲーム機等の種々の電子機器に使用されている。電子機器は軽薄短小化が進んでおり、スピーカに対しても、より小型化、薄型化および高性能化が求められている。
【０００３】
電子機器は、スピーカの設置スペースが限られていることから、スピーカの寸法に対する制限も大きくなり、特に薄型化が要求される。
【０００４】
従来の薄型スピーカとして、ボイスコイルボビンの外周部に支持部材（ダンパ）を接合する構造を備えたものがある（特許文献１，２参照）。
【０００５】
薄型化を図る方策として、ダンパを省略した構造も提案されているが、この構造では、ローリング現象が起きやすく、再生音量が制限されてしまう。また、ダンパを省略すると、振動板の振動を保持する部材がエッジだけになって安定性が悪くなり、特に細長形状のスピーカでは、長辺側のエッジが短辺側のエッジよりも長いため、ダンパがないと、ローリング現象がより起きやすくなる。
【０００６】
図１７はダンパ２１を備えた従来の細長形状のスピーカ２０の構造を示す断面図であり、図１７の左側は短径方向の断面構造を示し、右側は長径方向の断面構造を示している。図１７のように、ダンパを備えていても、細長形状のスピーカでは、短径寸法が限られるため、短径方向の幅によってダンパ径が制限されて、低域の再生能力が劣ってしまう。
【０００７】
図１８は特許文献１に開示されたスピーカ２０ａを示す図であり、図１８（ａ）は平面図、図１８（ｂ）は図１８（ａ）のＡ−Ａ線断面図、図１８（ｃ）はダンパ２１ａの平面図である。このスピーカ２０ａのダンパ２１ａの内周部はボイスコイルボビン２２の外周部に接合されて、外周部はフレーム２３に接合されている。図１８（ｃ）に示すダンパ２１ａは、細長形状のスピーカの長辺方向に沿って対称的に配置された第１および第２アーム部２４，２５と、平行配置された２本の第１アーム２４を架橋する外周固定部２６とを備えている。
【０００８】
図１９は特許文献２に開示されたスピーカのダンパ２１ｂの形状を示す斜視図である。このダンパ２１ｂも、内周部はボイスコイルボビンの外周部に接合されて、外側端部はフレームに接合されている。図１９のダンパ２１ｂは、細長形状のスピーカの長手方向に沿って対称的に配置された計４本の支持梁２７と、平行配置された２本の支持梁を架橋する架橋部２８とを備えている。
【０００９】
上述した特許文献１，２のいずれも、ダンパが振動板と接合されていないが、ダンパを振動板と接合した公知技術も提案されている（特許文献３参照）。
【００１０】
図２０は特許文献３に開示されたスピーカ２０ｂの断面図である。図２０のスピーカ２０ｂのダンパ２１ｃの内周部は振動板２９の裏面に接合され、外周部はフレーム３０に接合されている。
【先行技術文献】
【特許文献】
【００１１】
【特許文献１】特開２００６―２２９２８８号公報
【特許文献２】実開昭６０−１４２５９６号公報
【特許文献３】特開昭６３−１２０５９０号公報
【発明の概要】
【発明が解決しようとする課題】
【００１３】
特許文献１および２のスピーカでは、振動板の裏面と磁気回路の上端との間にダンパ２１ａ，２１ｂが配置されており、ダンパ２１ａ，２１ｂの内周部がボイスコイルボビンの外周部に接合されている。このため、ダンパ２１ａ，２１ｂは、振動板と磁気回路の双方に接触しないように配置しなければならず、結果として、薄型化を図ることが困難になる。
【００１４】
また、特許文献３のダンパ２１ｃの内周部は、振動板２９に接合されているが、特許文献３には、ダンパ２１ｃの具体的な構造については開示されておらず、ダンパー２１ｃの形状には技術的な特徴はないものと思料される。特許文献３には、ダンパ２１ｃを振動板２９とフレーム３０の間に配置することで薄型化を図る旨が記載されているが、ダンパ２１ｃの形状いかんでは、十分に薄型化を図れないおそれもある。特許文献３には、ダンパ２１ｃの形状が具体的に記載されていないため、実際に薄型化を実現できるかどうか疑問である。
【００１５】
本発明は、上述した課題に鑑みてなされたものであり、その目的は、薄型化および小型化が可能で、耐入力性と低音再生能力に優れて、組立性もよいスピーカを提供することにある。
【課題を解決するための手段】
【００１６】
上記の課題を解決するために、本発明の一態様によれば、細長平板状振動板と、
前記細長平板状振動板の外周側から後方にかけて配置されるフレームと、
内周部が前記細長平板状振動板に接合され、外周部が前記フレームに接合されるエッジと、
前記細長平板状振動板より後方に配置されて、前記フレームに接合される磁気回路と、
前端部が前記細長平板状振動板に接合され、後端部が前記磁気回路内に配置されるボイスコイルボビンと、
前記ボイスコイルボビンの外周部に巻回され、前記磁気回路の磁気ギャップ中に支持されるボイスコイルと、を備えたスピーカにおいて、
前記ボイスコイルボビンを取り囲むように前記細長平板状振動板と前記フレームとの間に配置され、前記細長平板状振動板と前記フレームとに接合される支持部材を備え、
前記支持部材は、
前記細長平板状振動板の長手方向に沿って、前記ボイスコイルボビンを間に挟んで一方の側に配置される複数の第１支持梁と、
前記細長平板状振動板の長手方向に沿って、前記ボイスコイルボビンを間に挟んで他方の側に配置される複数の第２支持梁と、
前記細長平板状振動板の短手方向に沿って、前記複数の第１支持梁の各一端側を架橋して前記フレームに接合される第１架橋部と、
前記細長平板状振動板の短手方向に沿って、前記複数の第１支持梁の各他端側を架橋して前記細長平板状振動板の裏面に接合される第２架橋部と、
前記細長平板状振動板の短手方向に沿って、前記複数の第２支持梁の各一端側を架橋して前記フレームに接合される第３架橋部と、
前記細長平板状振動板の短手方向に沿って、前記複数の第２支持梁の各他端側を架橋して前記細長平板状振動板の裏面に接合される第４架橋部と、を有することを特徴とするスピーカが提供される。
【発明の効果】
【００１７】
本発明によれば、薄型化と小型化を実現でき、かつ耐入力性と低音再生能力にも優れて組立性もよいスピーカを実現できる。
【図面の簡単な説明】
【００１８】
【図１】本発明の一実施形態に係るスピーカ１の斜視図。
【図２】図１のスピーカ１の分解斜視図。
【図３】（ａ）は図１のスピーカ１の平面図、（ｂ）は（ａ）のＢ−Ｂ線断面図。
【図４】図１のスピーカ１の一部を構成する支持部材の斜視図。
【図５】図１のスピーカ１の組立手順を模式的に示す図。
【図６】支持部材８の第１の変形例の斜視図。
【図７】支持部材８の第２の変形例の斜視図。
【図８】図７の支持部材８２を用いたスピーカ１ａの斜視図。
【図９】（ａ）は図８のスピーカ１ａの平面図。
【図１０】図４の支持部材８と図７の支持部材８２を備えたスピーカ１ｂの斜視図。
【図１１】（ａ）は図１０のスピーカ１ｂの平面図、（ｂ）は（ａ）のＢ−Ｂ線断面図。
【図１２】支持部材８の第３の変形例の斜視図。
【図１３】支持部材８の第４の変形例の斜視図。
【図１４】支持部材８の第５の変形例の斜視図。
【図１５】図１４の支持部材８５を用いたスピーカ１ｃの斜視図。
【図１６】（ａ）は図１５のスピーカ１ｃの平面図、（ｂ）は（ａ）のＢ−Ｂ線断面図。
【図１７】ダンパ２１を備えた従来の細長形状のスピーカ２０の構造を示す断面図。
【図１８】特許文献１に開示されたスピーカ２０ａを示す図で、（ａ）は平面図、（ｂ）は（ａ）のＡ−Ａ線断面図、（ｃ）はダンパ２１ａの平面図。
【図１９】特許文献２に開示されたスピーカのダンパ２１ｂの形状を示す斜視図。
【図２０】特許文献３に開示されたスピーカ２０ｂの断面図。
【発明を実施するための形態】
【００１９】
以下、図面を参照しながら、本発明の実施形態について詳細に説明する。
【００２０】
図１は本発明の一実施形態に係るスピーカ１の斜視図である。図１では、内部の構造がわかるように振動板を透明図示している。図２は図１のスピーカ１の分解斜視図、図３（ａ）は図１のスピーカ１の平面図、図３（ｂ）は図３（ａ）のＢ−Ｂ線断面図、図４は図１のスピーカ１の一部を構成する支持部材の斜視図である。
【００２１】
スピーカ１は、細長平板状振動板２と、フレーム３と、エッジ４と、磁気回路５と、ボイスコイルボビン６と、ボイスコイル７と、支持部材８とを備えている。
【００２２】
フレーム３は、細長平板状振動板２の外周側から後方にかけて配置され、フレーム３の裏面側に磁気回路５が接合される。エッジ４の内周部は細長振動板２に接合され、エッジ４の外周部はフレーム３に接合される。ボイスコイルボビン６の前端部は細長平板状振動板２に接合され、ボイスコイルボビン６の後端部は磁気回路５内に配置される。ボイスコイル７は、ボイスコイルボビン６の外周部に巻回されて、磁気回路５の磁気ギャップ１０中に支持される。
【００２３】
支持部材８は、ボイスコイルボビン６を取り囲むように振動板２とフレーム３の間に配置されて、振動板２とフレーム３とに接合される。支持部材８の略中央部には、ボイスコイルボビン６が嵌挿される。支持部材８と振動板２との接合、および支持部材８とフレーム３との接合は、例えば接着剤にて行われる。
【００２４】
図４に示すように、支持部材８は、細長平板状振動板２の長手方向に沿ってボイスコイルボビン６を間に挟んで一方の側に配置される複数の第１支持梁８ａと、細長平板状振動板２の長手方向に沿ってボイスコイルボビン６を間に挟んで他方の側に配置される複数の第２支持梁８ｂと、細長平板状振動板２の短手方向に沿って複数の第１支持梁８ａの各一端側を架橋してフレーム３に接合される第１架橋部８ｃと、細長平板状振動板２の短手方向に沿って複数の第１支持梁８ａの各他端側を架橋して細長平板状振動板２の裏面に接合される第２架橋部８ｄと、細長平板状振動板２の短手方向に沿って複数の第２支持梁８ｂの各一端側を架橋してフレーム３に接合される第３架橋部８ｅと、細長平板状振動板２の短手方向に沿って複数の第２支持梁８ｂの各他端側を架橋して細長平板状振動板２の裏面に接合される第４架橋部８ｆと、を有する。
【００２５】
この他、支持部材８は、細長平板状振動板２の長手方向に沿って第２架橋部８ｄの一端部と第４架橋部８ｆの一端部とを架橋して振動板２の裏面に接合される第５架橋部８ｇと、細長平板状振動板２の長手方向に沿って第２架橋部８ｄの他端部と第４架橋部８ｆの他端部とを架橋して振動板２の裏面に接合される第６架橋部８ｈと、を有する。
【００２６】
計２本の第１支持梁８ａと計２本の第２支持梁８ｂは、ダンパとして作用する。図４の支持部材８では、第１架橋部８ｃおよび第３架橋部８ｅの底面全体がフレーム３に接合され、第２架橋部８ｄ、第４架橋部８ｆ、第５架橋部８ｇおよび第６架橋部８ｈの上面全体が振動板２の裏面に接合される。
【００２７】
この他、支持部材８は、ボイスコイルボビン６を案内するためのボイスコイルガイド部８ｉを有する。このボイスコイルガイド部８ｉは、ボイスコイルボビン６の外径と略等しい径を有し、支持部材８はボイスコイルガイド部８ｉに案内されてボイスコイルボビン６の外周に沿って嵌挿される。図４に示すように、ボイスコイルガイド部８ｉは、第２架橋部８ｄおよび第４架橋部８ｆよりも内側に形成されている。
【００２８】
第５架橋部８ｇと第６架橋部８ｈは、ボイスコイルガイド部８ｉと共に、ボイスコイルボビン６を嵌挿する際のガイド部材として用いられる。従って、第５架橋部８ｇと第６架橋部８ｈの一部は、ボイスコイルボビン６の外周部の形状に合わせてＲ形状に加工されている。
【００２９】
ボイスコイルガイド部８ｉの計２箇所には、ボイスコイル７の引き出し線１１を細長平板状振動板２の裏面に沿って所定の方向に案内するための引き出し線ガイド部８ｊが設けられている。この引き出し線ガイド部８ｊは、ボイスコイルガイド部８ｉの一部を切り欠くことで形成される。
【００３０】
上述したように、本実施形態の支持部材８は、ダンパとして作用する第１支持梁８ａと第２支持梁８ｂの各一端がフレーム３に接合されて、各他端が振動板２に接合されている。すなわち、支持部材８は、振動板２とフレーム３に接合されることを前提としている。これにより、支持部材８とフレーム３との間隔、および支持部材８と振動板２との間隔を必要以上に確保しなくて済み、結果として、スピーカ１の薄型化が可能となる。また、支持部材８は樹脂等を用いて一体形成されており、組立が容易であり、組立性がよくなる。
【００３１】
また、支持部材８には、ボイスコイルボビン６を間に挟んで対称に配置された計４本の第１支持梁８ａと第２支持梁８ｂが設けられるため、振動板２の振動を正確に保持してボイスコイル７の位置ずれを抑制できる。これにより、低音再生能力向上が図れる。
【００３２】
図５は図１のスピーカ１の組立手順を模式的に示す図である。以下、図２と図５を用いてスピーカ１の組立手順を説明する。まず、ボイスコイルボビン６にボイスコイル７を巻回し、ボイスコイル引き出し線１１の端部に錦糸線１２を半田付けする。次に、このボイスコイルボビン６の前端部を、エッジ４が取り付けられた振動板２の裏面に接着固定する（工程Ｓ１）。
【００３３】
次に、支持部材８のボイスコイルガイド部８ｉに沿って支持部材８をボイスコイルボビン６に嵌挿させて振動板２の裏面に接合する（工程Ｓ２）。
【００３４】
次に、ボイスコイル引き出し線１１を支持部材８の引き出し線ガイド部８ｊに沿って引き出して、ボイスコイル引き出し線１１の端部に半田付けされた錦糸線１２をフレーム３取り付けられた端子１３に半田固定する（工程Ｓ３）。
【００３５】
次に、工程Ｓ３までの組立体を、治具を用いてフレーム３に接着固定する。（工程Ｓ４）。この工程Ｓ４の前に、フレーム３に端子１３を取り付けておく。
【００３６】
次に、磁気回路５内のポットヨーク５ａにマグネット５ｂを接着固定する（工程Ｓ５）。次に、磁気回路５内のポールピース５ｃをマグネット５ｂに接着固定する（工程Ｓ６）。この工程Ｓ６にて、磁気回路５が完成する。
【００３７】
次に、完成した磁気回路５をフレーム３に固定する（工程Ｓ７）。
【００３８】
このように、本実施形態では、ダンパとして作用する第１支持梁８ａと第２支持梁８ｂを有する支持部材８をフレーム３と振動板２の裏面に接合するため、支持部材８とフレーム３との間隔、および支持部材８と振動板２との間隔を広く確保する必要がなくなり、結果として、フレーム３と振動板２との間隔を狭めることができて、スピーカ１の薄型化が図れる。
【００３９】
支持部材８は、必ずしも図４のような形状である必要はなく、種々の変形例が適用可能である。図６は支持部材８の第１の変形例の斜視図である。図６の支持部材８１は、図４からボイスコイルガイド部８ｉを削除した構造を有する。図５を用いて説明したように、支持部材８は、ボイスコイルボビン６を振動板２の裏面に接合した後に取り付けられるため、必ずしもボイスコイルガイド部８ｉがなくても、支持部材８の位置決めは可能である。図６の支持部材８１は、第５架橋部８ｇと第６架橋部８ｈの内周面がボイスコイルボビン６の外周形状に合わせてＲ形状に加工されているため、位置決めを容易に行える。従って、図６の支持部材８１では、ボイスコイルガイド部８ｉを削除している。
【００４０】
図７は支持部材８の第２の変形例の斜視図である。図７の支持部材８２は、図６よりもさらに構造を簡略したものであり、図６から第５架橋部８ｇと第６架橋部８ｈを削除した構造を有する。これにより、支持部材８２は２つの対称的な部材に分割される。
【００４１】
図８は図７の支持部材８２を用いたスピーカ１ａの斜視図である。図８では、内部の構造がわかるように振動板を透明図示している。図９（ａ）は図８のスピーカ１ａの平面図、図９（ｂ）は図９（ａ）のＢ−Ｂ線断面図である。図８のスピーカ１ａにおいても、支持部材８２はフレーム３と振動板２とに接合されている。従って、薄型化が可能となる。また、図７の支持部材８２は、図４や図６の支持部材８，８１よりも構造が簡易であるため、組立が容易であり、組立性がより向上する。また、第５架橋部８ｇと第６架橋部８ｈの質量および接着剤の分だけ、振動系質量も低減されるため、再生音圧にも寄与する。
【００４２】
図４や図５の支持部材８，８１と図７の支持部材８２を組み合わせて使用することも可能である。図１０は図４の支持部材８と図７の支持部材８２を備えたスピーカ１ｂの斜視図である。図１０では、内部の構造がわかるように振動板を透明図示している。図１１（ａ）は図１０のスピーカ１ｂの平面図、図１１（ｂ）は図１１（ａ）のＢ−Ｂ線断面図である。図１０のスピーカ１ｂは、図１のスピーカ１よりも長径方向がさらに長くなり、ボイスコイルボビン６を間に挟んで長辺方向の各側に４本の支持梁と４本の架橋部が配置されている。支持梁の数と架橋部の数を増やすことにより、長径方向が長いスピーカにも適用可能となる。
【００４３】
図１２は支持部材８の第３の変形例の斜視図である。図１２の支持部材８３は、図７の支持部材８から第２架橋部８ｄと第４架橋部８ｆを削除した構造を有する。これにより、第１支持梁８ａの他端部と第２支持梁８ｂの他端部でのみ、支持部材８３と振動板２は接合される。
【００４４】
このように、図１２の支持部材８３は図７の支持部材８２よりも簡略化された構造を有するが、フレーム３と振動板２の双方に接合されるため、やはりスピーカの薄型化が図れる。
【００４５】
図１３は支持部材８の第４の変形例の斜視図である。図１３の支持部材８４は、図１２の支持部材８３から第１架橋部８ｃと第３架橋部８ｅを削除した構造を有する。これにより、第１支持梁８ａの一端部と第２支持梁８ｂの一端部でのみ、支持部材８４とフレーム３は接合される。
【００４６】
このように、図１３の支持部材８４は、図１２の支持部材８３よりも簡略化された構造を有するが、フレーム３と振動板２の双方に接合されるため、やはりスピーカの薄型化が図れる。
【００４７】
図１２または図１３の支持部材８３、８４は、図７の支持部材８２と同様に、図４または図６の支持部材８、８１と共に用いることが可能である。これにより、図１０のスピーカと同様に、より長辺が長いスピーカに適用可能となる。
【００４８】
図１４は支持部材８の第５の変形例の斜視図である。図１４の支持部材８５は、図４の支持部材８の構造に加えて、２本の第１支持梁８ａの長辺方向外側に接続される２本の第３支持梁８ｋと、２本の第２支持梁８ｂの長辺方向外側に接続される２本の第４支持梁８ｍと、２本の第３支持梁８ｋを架橋する第７架橋部８ｎと、２本の第４支持梁８ｍを架橋する第８架橋部８ｐとを有する。
【００４９】
第１架橋部８ｃと第３架橋部８ｅはフレーム３に接合され、第２架橋部８ｄ、第４架橋部８ｆ、第７架橋部８ｎおよび第８架橋部８ｐは振動板２の裏面に接合される。このように、図１４の支持部材８５もフレーム３と振動板２に接合されるため、薄型化が図れる。
【００５０】
図１５は図１４の支持部材８５を用いたスピーカ１ｃの斜視図である。図１５では、内部の構造がわかるように振動板を透明図示している。図１６（ａ）は図１５のスピーカ１ｃの平面図、図１６（ｂ）は図１６（ａ）のＢ−Ｂ線断面図である。これらの図からわかるように、図１４の支持部材８５は、より長辺方向が長いスピーカに適用可能である。
【００５１】
図４、図６、図７、図１２、図１３および図１４に示す支持部材８、８１〜８５は、スピーカの長辺方向長さに応じて任意に組み合わせてスピーカに組み込むことが可能であり、これにより、種々のスピーカへの適用が可能となる。
【００５２】
上述したいずれの支持部材８、８１〜８５も、フレーム３と振動板２に接合されるため、支持部材８とフレーム３との間隔、および支持部材８と振動板２との間隔を予め大きく確保する必要がなくなり、スピーカの薄型化が可能となる。
【００５３】
また、いずれの支持部材８、８１〜８５も、長手方向に沿って複数の支持梁８ａ，８ｂを対称的に配置するため、振動板２の振動を正確に保持でき、低音再生能力を向上できる。
【００５４】
上述した実施形態では、支持部材８の基本的な構造として、長辺方向の片側に２本の支持梁を設ける例を説明したが、支持梁の数は２本以上であれば、特に本数に制限はない。複数の支持梁と、これら支持梁を架橋する架橋部とを備え、架橋部をフレーム３または振動板２に接合する構造であれば、支持梁と架橋部の本数と形状には特に制限はない。
【００５５】
上記の記載に基づいて、当業者であれば、本発明の追加の効果や種々の変形を想到できるかもしれない。したがって、本発明の態様は、上述した個々の実施形態には限定されない。特許請求の範囲に規定された内容およびその均等物から導き出される本発明の概念的な思想と趣旨を逸脱しない範囲で種々の追加、変更および部分的削除が可能である。
【符号の説明】
【００５６】
１、１ａ、１ｂ、１ｃ  スピーカ
２  細長平板状振動板
３  フレーム
４  エッジ
５  磁気回路
６  ボイスコイルボビン
７  ボイスコイル
８、８１〜８５  支持部材
８ａ  第１支持梁
８ｂ  第２支持梁
８ｃ  第１架橋部
８ｄ  第２架橋部
８ｅ  第３架橋部
８ｆ  第４架橋部
８ｇ  第５架橋部
８ｈ  第６架橋部
８ｉ  ボイスコイルガイド部
８ｊ  引き出し線ガイド部
８ｋ  第３支持梁
８ｍ  第４支持梁
８ｎ  第７架橋部
８ｐ  第８架橋部
１０  磁気ギャップ
１１  引き出し線
１２  錦糸線
１３  端子
【図１】
0005410243.tif 000002
【図２】
0005410243.tif 000003
【図３】
0005410243.tif 000004
【図４】
0005410243.tif 000005
【図５】
0005410243.tif 000006
【図６】
0005410243.tif 000007
【図７】
0005410243.tif 000008
【図８】
0005410243.tif 000009
【図９】
0005410243.tif 000010
【図１０】
0005410243.tif 000011
【図１１】
0005410243.tif 000012
【図１２】
0005410243.tif 000013
【図１３】
0005410243.tif 000014
【図１４】
0005410243.tif 000015
【図１５】
0005410243.tif 000016
【図１６】
0005410243.tif 000017
【図１７】
0005410243.tif 000018
【図１８】
0005410243.tif 000019
【図１９】
0005410243.tif 000020
【図２０】
0005410243.tif 000021